(57)【要約】【課題】少なくとも大腿部受け部が起倒可能な、いわゆる膝上げ及び膝下げが可能なベッドにおいて、大腿部受け部を起倒させるアーム部材の長さ及び回動幅を小さく抑えるようにする。【解決手段】大腿部受け部２３の裏面から所定の傾斜角度で延出した延出部２３１ａに、第１アーム部材５３ａのコロ５３２を当接させ、第１アーム部材５３ａを回動させることによって、大腿部受け部２３を起倒させることを特徴とする。大腿部受け部２３が、平坦状態から最大傾斜を経て、平坦状態又は所定傾斜となるまでの、第１アーム部材５３ａの回動角度は９０°以下とするのが好ましい。【選択図】図３
2011120798.tif 000002
【特許請求の範囲】
【請求項１】
背受け部と、腰受け部と、大腿部受け部と、下腿部受け部とを有する身体受台が、枠体に取り付けられ、
大腿部受け部を枠体に対して起倒させる第１起倒機構を備えたベッドにおいて、
第１起倒機構は、大腿部受け部の裏面から所定の傾斜角度で延出した延出部と、回動駆動し、半径方向外方の端部が延出部に当接する第１アーム部材とを有し、
第１アーム部材が回動することによって、第１アーム部材の端部が延出部に当接しながら移動して、大腿部受け部が起倒することを特徴とするベッド。
【請求項２】
大腿部受け部が、平坦状態から最大傾斜を経て、平坦状態又は所定傾斜となるまでの、第１アーム部材の回動角度が９０°以下である請求項１記載のベッド。
【請求項３】
大腿部受け部の最大傾斜角度が２０°〜３０°の範囲である請求項２記載のベッド。
【請求項４】
第１アーム部材が、回動軸方向に離隔して２本以上設けられている請求項１〜３のいずれかに記載のベッド。
【請求項５】
背受け部を枠体に対して起倒させる第２起倒機構をさらに有し、
第２起倒機構は、回動駆動し、半径方向外方の端部が背受け部の裏面に当接する第２アーム部材を有し、
第２アーム部材が回動することによって、第２アーム部材の端部が背受け部の裏面に当接しながら移動して、背受け部が起倒する請求項１〜４のいずれかに記載のベッド。
【請求項６】
第１起倒機構と第２起倒機構とは、連動手段によって連結されるとともに、共通の駆動源によって駆動する請求項１〜５のいずれかに記載のベッド。
【発明の詳細な説明】
【技術分野】
【０００１】
本発明はベッドに関し、より詳細には、少なくとも大腿部受け部が起倒して、いわゆる膝上げ及び膝下げが可能なベッドに関するものである。
【背景技術】
【０００２】
ベッド上に仰臥している人が、テレビ鑑賞や食事、読書など行う場合には、上半身を起こす必要がある。このため、背受け部が起倒できるベッドがこれまでから種々提案され、市販もされている。また、ベッドの背受け部を起倒させる際、ベッドに仰臥している人の位置ずれや姿勢の崩れを防止するため、背受け部の起倒に先立って又は同時に膝上げ動作を行うことも実用化されている。
【０００３】
例えば、特許文献１では、背上げ機構と膝上げ機構とを連動手段で連結して、背受け部の傾斜動作中途で大腿部受け部が最大傾斜角度に達するようにするとともに、背受け部の傾斜動作中途から背受け部の最大傾斜に至るまでに、大腿部受け部を倒伏復帰させるようにする技術が提案されている。
【０００４】
そして、大腿部受け部を起倒させる具体的機構として、大腿部受け部及び下腿部受け部の裏面に、先端部が当接しながら移動するように回動駆動するアーム部材を設け、このアーム部材を回動させることによって、大腿部受け部及び下腿部受け部を、平坦状態から最大傾斜状態を経て平坦状態に戻るようにする機構が開示されている。
【先行技術文献】
【特許文献】
【０００５】
【特許文献１】特開2004-16635号公報
【発明の概要】
【発明が解決しようとする課題】
【０００６】
しかしながら、前記提案技術において、大腿部受け部及び下腿部受け部を起倒させる場合、短いアーム部材を用いると、回動幅を大きくしなければならず、大腿部受け部及び下腿部受け部の起倒に時間がかかる。他方、長いアーム部材を用いると、回動幅は小さくなるものの、アーム部材の回動領域を確保するため、身体受台の裏面に広い空間が必要となる。
【０００７】
本発明はこのような背景から提案されたものであって、少なくとも大腿部受け部が起倒可能な、いわゆる膝上げ及び膝下げが可能なベッドにおいて、大腿部受け部を起倒させるアーム部材の長さ及び回動幅を小さく抑えることをその目的とするものである。
【課題を解決するための手段】
【０００８】
前記目的を達成する本発明に係るベッドは、背受け部と、腰受け部と、大腿部受け部と、下腿部受け部とを有する身体受台が、枠体に取り付けられ、大腿部受け部を枠体に対して起倒させる第１起倒機構を備え、第１起倒機構は、大腿部受け部の裏面から所定の傾斜角度で延出した延出部と、回動駆動し、半径方向外方の端部が延出部に当接する第１アーム部材とを有し、第１アーム部材が回動することによって、第１アーム部材の端部が延出部に当接しながら移動して、大腿部受け部を起倒させることを特徴とする。
【０００９】
ここで、大腿部受け部が、平坦状態から最大傾斜を経て、平坦状態又は所定傾斜となるまでの、第１アーム部材の回動角度としては９０°以下であるのが好ましい。
【００１０】
また、大腿部受け部の最大傾斜角度としては２０°〜３０°の範囲が好ましい。
【００１１】
第１アーム部材は、回動軸方向に離隔して２本以上設けるのが好ましい。
【００１２】
背受け部を枠体に対して起倒させる第２起倒機構をさらに設け、第２起倒機構として、回動駆動し、半径方向外方の端部が背受け部の裏面に当接する第２アーム部材を設けて、第２アーム部材を回動させることによって、第２アーム部材の端部が背受け部の裏面に当接しながら移動するようにして、背受け部を起倒させてもよい。
【００１３】
ここで、第１起倒機構と第２起倒機構とを、連動手段によって連結するとともに、共通の駆動源によって駆動するのが好ましい。
【発明の効果】
【００１４】
本発明に係るベッドでは、大腿部受け部の裏面から所定の傾斜角度で延出した延出部を設けるとともに、回動する第１アーム部材の半径方向外方の端部を、延出部に当接しながら移動させるようにして、大腿部受け部を起倒させるので、大腿部受け部を起倒させるアーム部材の長さ及び回動幅が小さく抑えられる。これにより、大腿部受け部の起倒が迅速に行え、またアーム部材の回動領域を小さく抑えることができるようになる。
【図面の簡単な説明】
【００１５】
【図１】本発明に係るベッドの一例を示す表面側の斜視図である。
【図２】図１のベッドの裏面側の斜視図である。
【図３】第１起倒機構の一例を示す動作説明図である。
【図４】第２起倒機構の一例を示す動作説明図である。
【図５】第１起倒機構と第２起倒機構とを連結する連動手段の一例を示す概説図である。
【図６】本発明に係るベッドの起立動作例を示す説明図である。
【発明を実施するための形態】
【００１６】
以下、本発明に係るベッドについて図に基づいてさらに詳しく説明するが、本発明はこれらの実施形態に何ら限定されるものではない。
【００１７】
図１は、本発明に係るベッドの一例を示す斜視図である。なお、本明細書においてベッド上に仰臥した人の頭側を前側とし、足側を後側とする。図１のベッドＢは、平面視において矩形状の枠体１に、背受け部２１と腰受け部２２、大腿部受け部２３、下腿部受け部２４とに分割された身体受台２が取り付けられてなる。枠体１の左右両側の略中央部には一対の手すり４ａ，４ｂが設けられている。また、枠体１の裏面側の四隅には脚３１が取り付けられ、枠体１及び身体受台２がベッド設置床から所定高さの位置に保持されている。腰受け部２２は、枠体１に固定されている。そして、背受け部２１は、腰受け部２２に近接する側辺が枠体１に軸着され、軸着部を中心として背受け部２１の前側が回動し、枠体１に対して起倒する。また、大腿部受け部２３も、腰受け部２２に近接する辺側が枠体１に軸着され、軸着部を中心に大腿部受け部２３の後側が回動し、枠体１に対して起倒する。大腿部受け部２３の後側と下腿部受け部２４の前側とは、不図示の軸によって揺動可能に接続されている。したがって、大腿部受け部２３が回動して後側が持ち上がった傾斜状態になると、下腿部受け部２４の前側は、大腿部受け部２３の後側と共に持ち上がり、大腿部受け部２３と下腿部受け部２４とで、「へ」字状の屈曲形状をなす。なお、背受け部２１及び大腿部受け部２３は、平坦状態（水平状態）よりも下方には回動しない。
【００１８】
次に、第１起倒機構及び第２起倒機構について説明する。図２に、第１起倒機構及び第２起倒機構の一例を示すベッドの裏面斜視図、図３に第１起倒機構の拡大構成図、図４に第２起倒機構の拡大構成図をそれぞれ示す。
【００１９】
まず、第１起倒機構について説明する。図２及び図３に示すように、枠体１の下面に左右一対の支持板５１ａ，５１ｂが設けられている。そして、この一対の支持板５１ａ，５１ｂの間に、第１回動軸５２が回動自在に支持されている。第１回動軸５２には、２個の第１アーム部材５３ａ，５３ｂ（以下、「第１アーム部材５３」と総称することがある）が軸方向に所定距離隔てて固定されている。もちろん、第１回転軸５２に取り付ける第１アーム部材５３の個数に限定はなく、１個であっても、３個以上であってもよい。第１アーム部材５３の本体５３１の外方端部には、コロ５３２が回動自在に取り付けられている。
【００２０】
一方、大腿部受け部２３の裏面の、第１アーム部材５３のコロ５３２に対応する位置に、所定の傾斜角度で棒状の延出部２３１ａ，２３１ｂ（以下、「延出部２３１」と総称することがある）が形成されている。この延出部２３１にはコロ５３２が当接し、後述するように、第１アーム部材５３が回動すると、コロ５３２が延出部２３１に当接しながら移動する。延出部２３１は、大腿部受け部２３と一体に形成してもよいし、大腿部受け部２３とは別体で成形した後に大腿部受け部２３に取り付けるようにしてもよい。また、延出部２３１の形状としては、大腿部受け部２３の裏面に対して所定の傾斜角度を有するものであれば、棒状に限定されるものではなく、板状などであっても構わない。さらに、延出部２３１を、大腿部受け部２３に対して着脱可能とし、延出部２３１を取り替えることによって、大腿部受け部２３の傾斜角度や傾斜速度等を変更可能としてもよい。
【００２１】
図３に示すように、後述の駆動源７１（図２及び図４に図示）及び連動手段８４（図２及び図５に図示）によって第１回転軸５２が回転すると、第１アーム部材５３ａも回転し、コロ５３２が延出部２３１ａに当接しながら移動する（同図（ｂ））。これによって、大腿部受け部２３はコロ２３１によって持ち上げられる。第１アーム部材５３ａがさらに回転すると、大腿部受け部２３は最大傾斜角度を経た後、倒伏状態となる（同図（ｃ））。
【００２２】
ここで重要なことは、本発明のベッドでは、大腿部受け部２３の裏面に所定の傾斜角度を有する延出部２３１を設け、回動する第１アーム部材５３のコロ５３２をこの延出部２３１に当接させて、大腿部受け部２３を起倒させることにある。これによって、従来のベッドに比べて、大腿部受け部２３を起倒させるための第１アーム部材５３の回動幅及び長さを小さく抑えることができるようになる。大腿部受け部２３を起倒させるための第１アーム部材５３の回動幅としては９０°以下が好ましい。
【００２３】
次に、第２起倒機構について説明する。図２及び図４に示すように、枠体１の下面に左右一対の支持板６１ａ，６１ｂが設けられ、この一対の支持板６１ａ，６１ｂの間に、第２回動軸６２が回動自在に支持されている。第２回動軸６２には、２個の第２アーム部材６３ａ，６３ｂ（以下、「第２アーム部材６３」と総称することがある）が軸方向に所定距離隔てて固定されている。もちろん、第２回転軸６２に取り付ける第２アーム部材６３の個数に限定はなく、１個であっても、３個以上であってもよい。第２アーム部材６３ａの本体６３１の外方端部には、コロ６３２が回動自在に取り付けられている。背受け部２１が平坦状に倒伏した状態のとき、背受け部２１の裏面とコロ６３２とは離間している。この離間距離によって、コロ６３２が背受け部２１を起こし始める時期が調整される。
【００２４】
また、駆動源としてのストロークモータ７１は、枠体１の裏面に揺動自在に取り付けられ、ストロークモータ７１の伸縮ロッド７２の先端部は、第２回転軸６２に取り付けられた固定片８１に接続されている。
【００２５】
ストロークモータ７１が駆動して伸縮ロッド７２が伸び出すと、固定片８１が前方へ押されて、第２回転軸６２は時計回りに回転する（図４（ａ））。これによって、第２回転軸６２に固定されている第２アーム部材６３ａが時計回りに回転する。そして、第２アーム部材６３ａのコロ６３２が背受け部２１の裏面に接すると、背受け部２１の起立動作が開始する（同図（ｂ））。その後、背受け部２１が所定の傾斜角度に達したところでストロークモータ７１が停止する（同図（ｃ））。背受け部２１の傾斜角度としては、テレビ鑑賞や食事、読書などその目的から適宜決定すればよいが、通常、６０〜８０°の範囲が好ましい。
【００２６】
また、図２及び図５に示すように、第２回転軸６２に取り付けられた固定片８２と、第１回転軸５２に取り付けられた固定片８３との間には、連動手段としての棒状の連動部材８４が揺動自在に接続されている。これにより、ストロークモータ７１の駆動によって第２回転軸６２が回動すると、連動部材８４が前後方向に移動し、同時に第１回転軸５２も回動するようになる。
【００２７】
次に、背受け部２１及び大腿部受け部２３の起倒動作について説明する。まず、図６に示す、背受け部２１及び大腿部受け部２３が平坦状態から起立状態になる動作について説明する。ストロークモータ７１が駆動して伸縮ロッド７２が伸び出すと、固定片８１が前方へ押されて、第２回転軸６２は時計回りに回転する。これによって、第２回転軸６２に固定されている第２アーム部材６３ｂが時計回りに回転する。また同時に、固定片８２（図５に図示）によって連動部材８４が前方に移動し、固定片８３を介して第１回転軸６２も時計回りに回転する（図６（ａ））。
【００２８】
背受け部２１の裏面と第２アーム部材６３ｂのコロ６３２（図４に図示）とは離間しているため、ストロークモータ７１の駆動開始直後は、背受け部２１は平坦状態を維持する。一方、大腿部受け部２３の延出部２３１と、第１アーム部材５３ｂのコロ５３２（図３に図示）とは当接しているので、ストロークモータ７１の駆動開始直後から、大腿部受け部２３は起立開始する。すなわち、背受け部２１の起立動作に先行して大腿部受け部２３の起立動作が開始される。これによって、ベッド上に仰臥している人の腰の位置が固定され、背受け部２１が起立開始した際に、ベッドに仰臥している人の位置ずれや姿勢の崩れが防止される。
【００２９】
ストロークモータ７１の駆動を続けると、背受け部２１の裏面と第２アーム部材６３ｂのコロ６３１（図４に図示）とが当接し、背受け部２１の起立動作が開始される（図６（ｂ））。そして、背受け部２１及び大腿部受け部２３の起立動作が継続され、背受け部２１が所定の傾斜角度に達したところでストロークモータ７１が停止する（図６（ｃ））。
【００３０】
大腿部受け部２３は、背受け部２１が所定の傾斜角度に達する前に最大傾斜角度となり、その後、倒伏動作となり、背受け部２１が所定の傾斜角度に達してストロークモータ７１が停止した時には、僅かな傾斜角度（この図では傾斜角度１０°）となっている。もちろん、大腿部受け部２３を平坦状態としても構わない。このように、背受け部が起立状態となる前に、大腿部受け部は僅かな傾斜角度又は平坦状態となるので（図６（ｃ）を参照）、背受け部及び大腿部受け部が共に起立状態となることによって、ベッド上に仰臥している人の腹部が圧迫されることが防止される。なお、大腿部受け部２３の最大傾斜角度としては２０〜３０°の範囲が好ましい。
【００３１】
背受け部２１を起立状態から平坦状態に戻す場合は、ストロークモータ７１の回転方向を逆にして、伸縮ロッド７２を引き入れる。これにより、第２回転軸６３は反時計回りに回転し、また同時に、連動部材８４によって第１回転軸６３も反時計回りに回転し、背受け部２１及び大腿部受け部２３は前記動作と逆の動作を行う。すなわち、背受け部２１は、ストロークモータ７１の逆回転駆動によって倒伏動作を開始する一方、大腿部受け部２３は起立動作を開始し、最大傾斜角度を経て倒伏動作となる。そして、背受け部２１が平坦状態となった時も、大腿部受け部２３は倒伏動作を継続し、やがて大腿部受け部２３も平坦状態となり、ストロークモータ７１が停止する。ベッドＢの、このような起立状態から平坦状態への動きによって、前記の平坦状態から起立状態の動きの場合と同様に、ベッドに仰臥している人の位置ずれや姿勢の崩れが防止されると同時に、腹部の圧迫が防止される。
【００３２】
なお、前記実施形態では、ストロークモータ７１の回転駆動を第２回転軸６３を介して第１回転軸５３に伝達していたが、ストロークモータ７１の回転駆動を第１回転軸５３に直接伝達するようにしてもよい。また、１つのストロークモータで背受け部２１及び大腿部受け部２３の起倒動作を行っていたが、それぞれ別の駆動源で起倒動作を行うようにしても構わない。ただし、軽量化や生産性等の観点からは１つの駆動源で起倒させるのが好ましい。加えて、１つの駆動源とすることにより、操作者は１つのスイッチ操作で、背受け部と大腿部受け部を連動して起倒させることができるようになり、利便性が向上する。さらに、前記実施形態では、ストロークモータ７１の伸縮ロッド７２の伸縮量によって、背受け部２１及び大腿部受け部２３の傾斜角度を調整していたが、位置センサを用いて駆動源の入切制御を行い前記傾斜角度の調整を行ってもよい。
【産業上の利用可能性】
【００３３】
本発明のベッドでは、大腿部受け部２３を起倒させる第１アーム部材５３の長さ及び回動幅を小さく抑えられ、大腿部受け部２３の起倒が迅速に行え、また第１アーム部材５３の回動領域を小さく抑えられ有用である。
【符号の説明】
【００３４】
１    枠体
２    身体受台
Ｂ    ベッド
２１    背受け部
２２    腰受け部
２３    大腿部受け部
２４    下腿部受け部
５３，５３ａ，５３ｂ    第１アーム部
６３，６３ａ，６３ｂ    第２アーム部
８４    連動部材（連動手段）
２３１    延出部
【図１】
2011120798.tif 000003
【図２】
2011120798.tif 000004
【図３】
2011120798.tif 000005
【図４】
2011120798.tif 000006
【図５】
2011120798.tif 000007
【図６】
2011120798.tif 000008